(57)【要約】【課題】  操作体が中央部に貫通孔を有し、操作体の押圧面が傾斜している場合であっても、高い信頼性を有するとともに、操作違和感がなく、他のスイッチ装置と組み合わせて複合スイッチ装置を構成する場合にも、全体が小型の多方向スイッチ装置を提供する。【解決手段】  複数の押圧スイッチ素子に対応する押圧位置が形成される操作体の傾斜押圧面において、その一つの押圧位置を押圧された場合に、押圧位置に対応する押圧スイッチ素子に近接する一方の位置規制爪が、操作体のフランジ部と当接して、操作体が押圧により移動する方向を規制し、押圧位置に対応する押圧スイッチ素子に近接しない他方の位置規制爪が、操作体のフランジ部と当接して、押圧位置に対応する押圧スイッチ素子に対して周方向に隣り合う２つの押圧スイッチ素子の作動子およびこれに当接するスイッチ突起部とともに操作体の傾斜の支点を形成する。【選択図】  図５
2008198397.tif 000002
【特許請求の範囲】
【請求項１】
樹脂製のパネル部材と、該パネル部材の背面側に固定される基板と、該基板上に配設される複数の押圧スイッチ素子と、該複数の押圧スイッチ素子を選択的に押圧する操作体と、を備える多方向スイッチ装置であって、
該パネル部材の基体が、該基板を固定する基板固定部と、該操作体を所定の位置に規制する位置規制爪と、該操作体を傾斜させて該操作体が押圧する押圧スイッチ素子を選択させる選択規制突起と、を有し、
該押圧スイッチ素子が、該基板に固定する固定部と、接点を形成し弾性を有して移動する作動子と、を有し、
該操作体が、中央部に中央貫通孔を有する円筒状胴部と、該円筒状胴部の前面に一の方向に傾斜して形成される傾斜押圧面と、該円筒状胴部の背面側から延接されて該位置規制爪ならびに該選択規制突起に当接するフランジ部と、該フランジ部の背面側に延設されて該複数の押圧スイッチ素子の該作動子に当接する複数のスイッチ突起部と、を有し、
該複数の押圧スイッチ素子が、該操作体の該スイッチ突起部の背面側であって、該円筒状胴部の中央貫通孔の中心点に対して９０度間隔で４方向に設けられ、かつ、該傾斜押圧面の最前端と最後端に対応する２方向を少なくとも含み、
該位置規制爪が、該フランジ部の外周側であって、周方向に隣り合う該押圧スイッチ素子の中間であり、かつ、該円筒状胴部の中央貫通孔の中心点に対して１８０度間隔で２方向に設けられて、該フランジ部の規制溝に係合し、
該選択規制突起が、該操作体の該押圧面および該フランジ部の背面側であって、該傾斜押圧面の最前端に対応する押圧スイッチ素子の両側にそれぞれ、少なくとも２カ所設けられている、
多方向スイッチ装置。
【請求項２】
前記複数の押圧スイッチ素子に対応する押圧位置が形成される前記操作体の前記傾斜押圧面において、その一つの押圧位置を押圧された場合に、
該押圧位置に対応する押圧スイッチ素子に近接する一方の前記位置規制爪が、該操作体の前記フランジ部と当接して、該操作体が押圧により移動する方向を規制し、
該押圧位置に対応する押圧スイッチ素子に近接しない他方の前記位置規制爪が、該操作体の前記フランジ部と当接して、該押圧位置に対応する押圧スイッチ素子に対して周方向に隣り合う２つの押圧スイッチ素子の作動子およびこれに当接するスイッチ突起部とともに該操作体の傾斜の支点を形成する、
請求項１に記載の多方向スイッチ装置。
【請求項３】
前記傾斜押圧面の最前端に対応する最前端押圧位置と、該最前端押圧位置に対して周方向に隣り合う隣接押圧位置と、が形成される前記操作体の前記傾斜押圧面において、該最前端押圧位置と該隣接押圧位置の中間位置を押圧された場合に、
前記選択規制突起が前記操作体の前記フランジ部と当接して該操作体の傾斜の支点を形成し、該操作体の前記スイッチ突起部が、該最前端押圧位置に対応する押圧スイッチ素子と、該隣接押圧位置に対応する押圧スイッチ素子との、いずれか一方を選択的に押圧する、
請求項１または２に記載の多方向スイッチ装置。
【請求項４】
前記複数の押圧スイッチ素子が、前記操作体の中央貫通孔の中心点に対して上方向、下方向、左方向、および、右方向の４方向に設けられ、
前記位置規制爪が、該操作体の中央貫通孔の中心点に対して左斜上方向および右斜下方向の２方向に設けられ、
該操作体の前記押圧面が上下方向に傾斜して形成され、該押圧面の下方向部が該押圧面の最前端を形成し、該押圧面の上方向部が該押圧面の最後端を形成する、
請求項１から３のいずれかに記載の多方向スイッチ装置。
【請求項５】
前記樹脂製のパネル部材が前記基体から一体にヒンジを介して延設される複数の可動ボタンを有し、さらに、該複数の可動ボタンに対応する複数の押圧スイッチ素子を有する、請求項１から４のいずれかに記載の多方向スイッチ装置を含む複合スイッチ装置であって、
該複数の可動ボタンのうちの少なくとも１つの可動ボタンが、前記操作体の前記円筒状胴部の前記中央貫通孔から突出するキートップと、該可動ボタンの背面側に延設されて該押圧スイッチ素子の作動子に当接するスイッチ突起部と、を有し、該操作体と該可動ボタンとが、離隔している、
複合スイッチ装置。
【請求項６】
請求項１から４のいずれかに記載の多方向スイッチ装置、もしくは、請求項５に記載の複合スイッチ装置を含む、映像音響機器。
【発明の詳細な説明】
【技術分野】
【０００１】
本発明は、映像音響機器の操作部分に使用される多方向スイッチ装置に関し、特に、多方向スイッチ装置を構成する操作体が、その中央部に中央貫通孔を有し、前面側に形成される押圧面が傾斜し、好ましくは、この操作体の中央貫通孔から可動ボタンが突出するスイッチを備える多方向スイッチ装置に関する。
【背景技術】
【０００２】
映像音響機器の前面パネルには、押圧により接点が接続する複数のタクトスイッチを含む多方向スイッチ装置が設けられる。複数のタクトスイッチは、例えば、前面パネルの背後に設置される回路基板において、中心点を基準にして上、下、左、右の周辺４カ所にハンダ付けされて固定され、その前面には、使用者がタクトスイッチの作動子を操作しやすいように、使用者の手の指が当接する操作体を別に設けている。使用者は、この操作体（カーソルキー、カーソルツマミ、ともいう。）を介して上、下、左、右の周辺４カ所に設けられた回路基板上のタクトスイッチの作動子を、それぞれ押圧することができる。製造コストや、意匠上の制約から様々な形態が想定される操作体（以下、カーソルツマミという。）は、前面パネルに対して所定の位置に配置されるが、使用者が多方向スイッチ装置を介して、その映像音響機器を操作しやすいことが求められる。
【０００３】
映像音響機器では、スイッチ装置が設けられる前面パネルにおいて、多方向スイッチ装置のカーソルツマミを樹脂で形成し、前面パネルに可動的に支持固定するヒンジをその周囲に一体に延設し、前面パネルに対してカーソルツマミを所定の位置に配置するものがある。また、映像音響機器では、最表面の前面パネルの背面に樹脂製のパネル部材を設け、このパネル部材の基体と一体にヒンジを介して延設される可動ボタンを成形するスイッチ装置があり、上記の多方向スイッチ装置と組み合わせて複合スイッチ装置を形成するものがある。特に、多方向スイッチ装置のカーソルツマミが中央部に貫通孔を有する場合には、この貫通孔内に可動ボタンが突出する別の中央スイッチ装置を設け、多方向スイッチ装置で機能等を選択し、中央スイッチ装置で決定入力する複合スイッチ装置を構成する場合がある。
【０００４】
カーソルツマミをヒンジで支持固定する場合に、ヒンジを良好に動作させるためにはカーソルツマミの周囲に所定の面積が必要になるので、多方向スイッチ装置が大型化し、他のスイッチ装置を多方向スイッチ装置に近接配置できない、という問題がある。また、多方向スイッチ装置のカーソルツマミが中央部に貫通孔を有する場合には、カーソルツマミの傾斜の支点となる中心軸をカーソルツマミの中心に設けることができないので、使用者がカーソルツマミの押圧面を押圧すると、例えば、周辺２カ所のタクトスイッチが同時に誤って押されてしまい、使用者が意図しない動作を映像音響機器に指示してしまうことがある、という問題がある。
【０００５】
従来には、１つの操作部を押した時にキートップの動きに方向性を持たせる機構がない場合に、各操作部の中心からキートップの中心を通って延長された線とほぼ直角な線とそれぞれ平行した直線部を外縁にもつようにキートップ又はこれと一体に動く部分のつばを角形とする多方向スイッチ装置がある（特許文献１）。また、従来には、操作体の背面で各押圧操作部の近傍にそれぞれ設けた突片が、所定量の後方移動および回動を許容された状態で前面パネル等の支持枠に位置決め・保持されるように構成することにより、操作体の中央部に空所を開設しても該操作体が保持でき、比較的軽い操作力でスイッチング動作が行えるようにした多方向スイッチ装置がある（特許文献２）。また、従来には、キートップと独立に操作可能な押しボタンをキートップのほぼ中心位置に設けることによって、キートップの周辺操作部を押圧したときの意図しないスイッチの誤作動を防止する多方向スイッチがある（特許文献３）。
【０００６】
【特許文献１】特開平６−２６００６１公報  （第１図〜第５図）
【特許文献２】特開平１０−２２３０９５号公報  （第１図〜第４図）
【特許文献３】実開平７−４１９２８号公報  （第１図〜第６図）
【０００７】
しかしながら、従来の多方向スイッチ装置においては、多方向スイッチ装置のカーソルツマミが中央部に貫通孔を有し、カーソルツマミの傾斜の支点となる中心軸をカーソルツマミの中心に設けることができず、さらに、意匠上の理由からカーソルツマミの押圧面が傾斜している場合に、押されるべきではないタクトスイッチの作動子が誤って押圧されてしまうことがある、という問題がある。多方向スイッチ装置を小型化するために、カーソルツマミを可動的に支持固定するヒンジを採用しない場合には、誤ってタクトスイッチを同時押ししてしまう場合があり、映像音響機器が誤動作し、多方向スイッチ装置を操作する使用者に不快感を与えるという問題がある。
【発明の開示】
【発明が解決しようとする課題】
【０００８】
本発明は、上記の従来技術が有する問題を解決するためになされたものであり、その目的は、映像音響機器の操作部分に使用される多方向スイッチ装置に関し、操作体が中央部に貫通孔を有し、操作体の押圧面が傾斜している場合であっても、高い信頼性を有するとともに、操作違和感がなく、他のスイッチ装置と組み合わせて複合スイッチ装置を構成する場合にも、全体が小型の多方向スイッチ装置を提供することにある。
【課題を解決するための手段】
【０００９】
本発明の多方向スイッチ装置は、樹脂製のパネル部材と、パネル部材の背面側に固定される基板と、基板上に配設される複数の押圧スイッチ素子と、複数の押圧スイッチ素子を選択的に押圧する操作体と、を備える多方向スイッチ装置であって、パネル部材の基体が、基板を固定する基板固定部と、操作体を所定の位置に規制する位置規制爪と、操作体を傾斜させて操作体が押圧する押圧スイッチ素子を選択させる選択規制突起と、を有し、押圧スイッチ素子が、基板に固定する固定部と、接点を形成し弾性を有して移動する作動子と、を有し、操作体が、中央部に中央貫通孔を有する円筒状胴部と、円筒状胴部の前面に一の方向に傾斜して形成される傾斜押圧面と、円筒状胴部の背面側から延接されて位置規制爪ならびに選択規制突起に当接するフランジ部と、フランジ部の背面側に延設されて複数の押圧スイッチ素子の作動子に当接する複数のスイッチ突起部と、を有し、複数の押圧スイッチ素子が、操作体のスイッチ突起部の背面側であって、円筒状胴部の中央貫通孔の中心点に対して９０度間隔で４方向に設けられ、かつ、傾斜押圧面の最前端と最後端に対応する２方向を少なくとも含み、位置規制爪が、フランジ部の外周側であって、周方向に隣り合う押圧スイッチ素子の中間であり、かつ、円筒状胴部の中央貫通孔の中心点に対して１８０度間隔で２方向に設けられて、フランジ部の規制溝に係合し、選択規制突起が、操作体の押圧面およびフランジ部の背面側であって、傾斜押圧面の最前端に対応する押圧スイッチ素子の両側にそれぞれ、少なくとも２カ所設けられている。
【００１０】
好ましくは、本発明の多方向スイッチ装置は、複数の押圧スイッチ素子に対応する押圧位置が形成される操作体の傾斜押圧面において、その一つの押圧位置を押圧された場合に、押圧位置に対応する押圧スイッチ素子に近接する一方の位置規制爪が、操作体のフランジ部と当接して、操作体が押圧により移動する方向を規制し、押圧位置に対応する押圧スイッチ素子に近接しない他方の位置規制爪が、操作体のフランジ部と当接して、押圧位置に対応する押圧スイッチ素子に対して周方向に隣り合う２つの押圧スイッチ素子の作動子およびこれに当接するスイッチ突起部とともに操作体の傾斜の支点を形成する。
【００１１】
好ましくは、本発明の多方向スイッチ装置は、傾斜押圧面の最前端に対応する最前端押圧位置と、最前端押圧位置に対して周方向に隣り合う隣接押圧位置と、が形成される操作体の傾斜押圧面において、最前端押圧位置と隣接押圧位置の中間位置を押圧された場合に、選択規制突起が操作体のフランジ部と当接して操作体の傾斜の支点を形成し、操作体のスイッチ突起部が、最前端押圧位置に対応する押圧スイッチ素子と、隣接押圧位置に対応する押圧スイッチ素子との、いずれか一方を選択的に押圧する。
【００１２】
好ましくは、本発明の多方向スイッチ装置は、複数の押圧スイッチ素子が、操作体の中央貫通孔の中心点に対して上方向、下方向、左方向、および、右方向の４方向に設けられ、位置規制爪が、操作体の中央貫通孔の中心点に対して左斜上方向および右斜下方向の２方向に設けられ、操作体の押圧面が上下方向に傾斜して形成され、押圧面の下方向部が押圧面の最前端を形成し、押圧面の上方向部が押圧面の最後端を形成する。
【００１３】
好ましくは、本発明の複合スイッチ装置は、樹脂製のパネル部材が基体から一体にヒンジを介して延設される複数の可動ボタンを有し、さらに、複数の可動ボタンに対応する複数の押圧スイッチ素子を有する、上記の多方向スイッチ装置を含む複合スイッチ装置であって、複数の可動ボタンのうちの少なくとも１つの可動ボタンが、操作体の円筒状胴部の中央貫通孔から突出するキートップと、可動ボタンの背面側に延設されて押圧スイッチ素子の作動子に当接するスイッチ突起部と、を有し、操作体と可動ボタンとが、離隔している。
【００１４】
また、本発明の映像音響機器は、いずれか上記の多方向スイッチ装置、もしくは、複合スイッチ装置を含む。
【００１５】
以下、本発明の作用について説明する。
【００１６】
本発明の多方向スイッチ装置は、樹脂製のパネル部材と、パネル部材の背面側に固定される基板と、基板上に配設される複数の押圧スイッチ素子と、複数の押圧スイッチ素子を選択的に押圧する操作体と、を備える。このうち、パネル部材の基体は、基板を固定する基板固定部と、操作体を所定の位置に規制する位置規制爪と、操作体を傾斜させて操作体が押圧する押圧スイッチ素子を選択させる選択規制突起と、を有し、押圧スイッチ素子は、基板に固定する固定部と、接点を形成し弾性を有して移動する作動子と、を有する。多方向スイッチ装置を操作する操作者は、操作体の所定の押圧位置を押圧することにより、複数の押圧スイッチ素子のうちの任意の押圧スイッチ素子の接点をオン／オフし、映像音響機器を操作することができる。
【００１７】
また、操作体は、中央部に中央貫通孔を有する円筒状胴部と、円筒状胴部の前面に一の方向に傾斜して形成される傾斜押圧面と、円筒状胴部の背面側から延接されて位置規制爪ならびに選択規制突起に当接するフランジ部と、フランジ部の背面側に延設されて複数の押圧スイッチ素子の作動子に当接する複数のスイッチ突起部と、を有する。そして、複数の押圧スイッチ素子は、操作体のスイッチ突起部の背面側であって、円筒状胴部の中央貫通孔の中心点に対して９０度間隔で４方向に設けられ、かつ、傾斜押圧面の最前端と最後端に対応する２方向を少なくとも含む。好ましくは、複数の押圧スイッチ素子は、操作体の中央貫通孔の中心点に対して上方向、下方向、左方向、および、右方向の４方向に設けられ、操作体の押圧面が上下方向に傾斜して形成され、押圧面の下方向部が押圧面の最前端を形成し、押圧面の上方向部が押圧面の最後端を形成する。したがって、操作体（カーソルツマミ）の中央部に中央貫通孔を設け、押圧面を傾斜させるような、意匠性を考慮した多方向スイッチ装置が実現される。
【００１８】
パネル部材の基体から延接される位置規制爪は、フランジ部の外周側であって、周方向に隣り合う押圧スイッチ素子の中間であり、かつ、円筒状胴部の中央貫通孔の中心点に対して１８０度間隔で２方向に設けられて、フランジ部の規制溝に係合し、選択規制突起が、操作体の押圧面およびフランジ部の背面側であって、傾斜押圧面の最前端に対応する押圧スイッチ素子の両側にそれぞれ、少なくとも２カ所設けられている。また、好ましくは、位置規制爪は、操作体の中央貫通孔の中心点に対して左斜上方向および右斜下方向の２方向に設けられ、太くなった爪状の先端部がフランジ部の前面側へ張り出し、操作体が前面側へ移動するのを規制する。
【００１９】
ここで、複数の押圧スイッチ素子に対応する押圧位置が形成される操作体の傾斜押圧面において、その一つの押圧位置を押圧された場合に、押圧位置に対応する押圧スイッチ素子に近接する一方の位置規制爪が、操作体のフランジ部と当接して、操作体が押圧により移動する方向を規制し、押圧位置に対応する押圧スイッチ素子に近接しない一方の位置規制爪が、操作体のフランジ部と当接して、押圧位置に対応する押圧スイッチ素子に対して周方向に隣り合う２つの押圧スイッチ素子の作動子およびこれに当接するスイッチ突起部とともに操作体の傾斜の支点を形成する。したがって、これらの位置規制爪が操作体を可動的に位置規制するので、操作体の支持固定に所定の面積を必要とするヒンジを採用しなくてもよく、操作体が中央部に貫通孔を有し、操作体の傾斜の支点となる中心軸を操作体の中心に設けることができない場合であっても、多方向スイッチ装置を小型化することができる。
【００２０】
この多方向スイッチ装置では、操作体（カーソルツマミ）に傾斜押圧面が形成されており、操作者が操作して押圧する押圧位置として、傾斜押圧面の最前端に対応する最前端押圧位置と、最前端押圧位置に対して周方向に隣り合う隣接押圧位置と、が形成され、これらの押圧位置に対応した押圧スイッチ素子が配置される。円筒状胴部の前面に一の方向に傾斜して形成される傾斜押圧面とは、円筒状胴部を貫通する中心軸に対して垂直ではない平面によって円筒状胴部を切断した場合に形成される面であり、傾斜押圧面が凹凸を有する場合を含み、前面パネルが傾斜しているときには、これに沿った形状になる場合がある。ただし、最前端押圧位置と隣接押圧位置の中間位置を押圧された場合には、選択規制突起が操作体のフランジ部と当接して操作体の傾斜の支点を形成し、操作体のスイッチ突起部が、最前端押圧位置に対応する押圧スイッチ素子と、隣接押圧位置に対応する押圧スイッチ素子との、いずれか一方を選択的に押圧する。したがって、傾斜押圧面が形成された操作体を備え、意図しない押圧位置に対応する押圧スイッチ素子が押されやすい多方向スイッチ装置であっても、複数の押圧スイッチ素子の同時押しをすることがなく、映像音響機器の意図しない動作を防ぐことができる。
【００２１】
また、好ましくは、本発明の複合スイッチ装置は、上記の多方向スイッチ装置を含み、樹脂製のパネル部材が基体から一体にヒンジを介して延設される複数の可動ボタンを有し、さらに、複数の可動ボタンに対応する複数の押圧スイッチ素子を有する。複数の可動ボタンのうちの少なくとも１つの可動ボタンが、操作体の円筒状胴部の中央貫通孔から突出するキートップと、可動ボタンの背面側に延設されて押圧スイッチ素子の作動子に当接するスイッチ突起部と、を有し、操作体と可動ボタンとが、離隔している。したがって、多方向スイッチ装置の中央にさらに可動ボタンを設ける複合スイッチ装置を構成する場合にも、全体を小型にすることができる。
【発明の効果】
【００２２】
本発明の多方向スイッチ装置およびこれを用いた映像音響機器は、操作体が中央部に貫通孔を有し、操作体の押圧面が傾斜している場合であっても、高い信頼性を有するとともに、操作違和感がなく、他のスイッチ装置と組み合わせて複合スイッチ装置を構成する場合にも、全体が小型の多方向スイッチ装置とすることができる。
【発明を実施するための最良の形態】
【００２３】
本発明の多方向スイッチ装置およびこれを用いた映像音響機器は、操作体が中央部に貫通孔を有し、操作体の押圧面が傾斜している場合であっても、高い信頼性を有するとともに、操作違和感がない多方向スイッチ装置を提供するという目的を、樹脂製のパネル部材と、パネル部材の背面側に固定される基板と、基板上に配設される複数の押圧スイッチ素子と、複数の押圧スイッチ素子を選択的に押圧する操作体と、を備える多方向スイッチ装置であって、パネル部材の基体が、基板を固定する基板固定部と、操作体を所定の位置に規制する位置規制爪と、操作体を傾斜させて操作体が押圧する押圧スイッチ素子を選択させる選択規制突起と、を有し、押圧スイッチ素子が、基板に固定する固定部と、接点を形成し弾性を有して移動する作動子と、を有し、操作体が、中央部に中央貫通孔を有する円筒状胴部と、円筒状胴部の前面に一の方向に傾斜して形成される傾斜押圧面と、円筒状胴部の背面側から延接されて位置規制爪ならびに選択規制突起に当接するフランジ部と、フランジ部の背面側に延設されて複数の押圧スイッチ素子の作動子に当接する複数のスイッチ突起部と、を有し、複数の押圧スイッチ素子が、操作体のスイッチ突起部の背面側であって、円筒状胴部の中央貫通孔の中心点に対して９０度間隔で４方向に設けられ、かつ、傾斜押圧面の最前端と最後端に対応する２方向を少なくとも含み、位置規制爪が、フランジ部の外周側であって、周方向に隣り合う押圧スイッチ素子の中間であり、かつ、円筒状胴部の中央貫通孔の中心点に対して１８０度間隔で２方向に設けられて、フランジ部の規制溝に係合し、選択規制突起が、操作体の押圧面およびフランジ部の背面側であって、傾斜押圧面の最前端に対応する押圧スイッチ素子の両側にそれぞれ、少なくとも２カ所設けられているようにすることにより、実現した。
【００２４】
以下、本発明の好ましい実施形態による多方向スイッチ装置およびこれを用いた映像音響機器について説明するが、本発明はこれらの実施形態には限定されない。
【実施例１】
【００２５】
図１は、本発明の好ましい実施形態による映像音響機器１について説明する斜視図である。例えば、映像音響機器１は、直方体状の筐体を有する増幅器付ディスク再生装置であり、その前面側に外観視される前面パネル２と、操作表示部３と、ディスクトレイ４と、回転操作ノブ５と、複数のスイッチ６等と、さらに、複合スイッチ装置１００を備え、これらは、樹脂製のパネル部材１０を介して取り付けられている。複合スイッチ装置１００は、映像音響機器１の機能もしくはパラメータを選択し、また、決定（ＥＮＴＥＲ）を入力する複合スイッチであり、映像音響機器１を操作するユーザーは、複合スイッチ装置１００のいずれかのキートップを手の指で押圧して、パネル部材１０の裏側に設けられているタクトスイッチをオンにすることで、映像音響機器１のマイコン（図示しない）にユーザーが意図した動作を実行させる。
【００２６】
前面パネル２は、アルミ合金を押出成形して形成されている。前面パネル２は、映像音響機器のフロントパネルを形成するとともに、その背面側に配置された複合スイッチ装置１００を含む内部構成部品を美観のために直接視できないように、その背面に隠す。前面パネル２には、他の部品を取り付け、内部の部品と連結するための貫通孔が設けられる。複合スイッチ装置１００は、映像音響機器１を操作しやすいように前面パネル２の下部側に設けられており、前面パネル２の下部側には下端側が前に突出するような傾斜面が形成されている。なお、前面パネル２は、他の金属であってもよく、樹脂による成形品であってもよい。また、映像音響機器１は、金属製もしくは樹脂製のカバー７により後面側を覆われている。なお、本実施例を説明する図において、映像音響機器および複合スイッチ装置１００の説明に不要な部分内部構造は、省略されている。
【００２７】
図２は、図１における映像音響機器１の複合スイッチ装置１００を含む点線部を、前面視されるべき前面パネル２を除去して拡大した部分拡大図である。また、図３は、複合スイッチ装置１００を構成する各部品、つまり、樹脂製のパネル部材１０と、パネル部材１０の背面側に固定される基板２０と、カーソルツマミ３０と、をＺ軸方向に展開して表した斜視図である。また、図４は、操作体としてのカーソルツマミ３０を説明する図であり、図４（ａ）は正面図であり、図４（ｂ）は側面図である。
【００２８】
複合スイッチ装置１００は、後述するカーソルツマミ３０を右、上、左、下のいずれかの方向に押圧して機能もしくはパラメータを選択する多方向スイッチ装置と、多方向スイッチ装置の周囲にキートップ５０他を配置する押圧スイッチ装置と、および、多方向スイッチ装置の内部にキートップ６０を配置する押圧スイッチ装置と、から形成される。具体的には、多方向スイッチ装置のカーソルツマミ３０の周囲には、その左斜上にキートップ５０を含む押圧スイッチ装置が近接して形成され、同様に、左斜下と、右斜上と、右斜下にも押圧スイッチ装置が近接して形成されている。また、カーソルツマミ３０の中央貫通孔３１から、ＥＮＴＥＲキーを形成するキートップ６０が突出するように、押圧スイッチ装置が形成されている。
【００２９】
パネル部材１０は、ＡＢＳ樹脂により成形される部材であり、前面パネル２と連結して前面パネルを形成する基体１１を有し、複合スイッチ装置１００を構成する各部が一体に樹脂で形成されている。具体的には、樹脂製のパネル部材１０の基体１１は、その背面側に基板２０を固定する（図示しない）基板固定部１２と、カーソルツマミ３０を所定の位置に規制する位置規制爪１３および１４と、選択規制突起１５および１６と、を有している。また、樹脂製のパネル部材１０は、基体１１から一体にヒンジを介して延設される複数の可動ボタンと、キートップならびにスイッチ突起部を備えている。なお、パネル部材１０は、他の樹脂であってもよい。パネル部材１０は、前後に分割される凹面型／凸面型からなる金型で成形できることがコスト上も好ましいので、基体１１と、ヒンジ、可動ボタンの配置および構成には、工夫を要する。
【００３０】
例えば、カーソルツマミ３０の左斜上に配置される可動ボタン５１は、前面側にキートップ５０が突出し、パネル部材１０の基体１１からヒンジ５２を介して可動的に形成されており、可動ボタン５１の背面側にはスイッチ突起部５３が延設されている。同様に、可動ボタン６１は、カーソルツマミ３０の中心から突出するキートップ６０を有し、ヒンジ６２を介して可動的に形成されており、可動ボタン６１の背面側には、スイッチ突起部６３が延設されている。また、基体１１の可動ボタン６１の周囲には、複数の貫通孔が形成されている。
【００３１】
なお、後述する図面において図示するパネル部材１０の基板固定部１２は、本実施例では、樹脂製のパネル部材１０の基体１１の背面側に延設されて、基板２０の下端を係止する爪状突起１２ａと、基板２０をネジ止めするネジ孔を有するボス状突起１２ｂであり、基板２０をパネル部材１０に固定する。
【００３２】
位置規制爪１３および１４は、樹脂製のパネル部材１０の基体１１の前面側に延設される太い爪状の先端部を有する角柱であり、カーソルツマミ３０が配置される位置に対して、左斜上方向および右斜下方向の２方向に、すなわち、円筒状胴部３２の中央貫通孔３１の中心点Ｏに対して１８０度間隔で２方向に設けられる。位置規制爪１３および１４は、後述するカーソルツマミ３０のフランジ部３４の外周側に位置し、角柱部がフランジ部３４の規制溝３５もしくは３６にそれぞれ係合する。したがって、位置規制爪１３および１４は、カーソルツマミ３０をＸ−Ｙ平面における所定の位置に規制し、そして、太くなった爪状の先端部がフランジ部３４の前面側に張り出すので、Ｚ軸方向の前方向への移動を規制する。
【００３３】
選択規制突起１５および１６は、基体１１から前面側に短く突出した角柱状の突起であり、後述するように、カーソルツマミ３０のフランジ部３４に当接して、カーソルツマミ３０を傾斜させてカーソルツマミ３０が押圧するタクトスイッチ２１、２３、もしくは、２４のいずれかを選択させる。なお、選択規制突起の形状は、角柱状だけでなく、円筒形状などの他の形状の突起でもよい。
【００３４】
パネル部材１０の背面側に固定される基板２０は、回路を形成する導体を含み、複数のタクトスイッチ２１〜２６を、その表側に固定している。押圧スイッチ素子としてのタクトスイッチは、後述するように、基板２０に固定する固定部と、接点を形成し弾性を有して移動する作動子と、を有する。これらのタクトスイッチは、固定部の端子が基板２０の導体にハンダ付けされて固定される。なお、タクトスイッチ２１〜２４は、複合スイッチ装置１００として組み立てられた場合に、カーソルツマミ３０の円筒状胴部３２の中央貫通孔３１の中心点Ｏ、つまり、Ｚ軸が通過する点Ｏに対して９０度間隔で４方向に設けられ、具体的には、後述するカーソルツマミ３０の押圧位置に対応してＺ軸を基準にしてそれぞれ右、上、左、下の方向に配置される。また、タクトスイッチ２５は、キートップ５０の押圧位置に対応してＺ軸を基準にして略左斜上方向に配置され、タクトスイッチ２６は、キートップ６０の押圧位置に対応してＺ軸の近傍位置に配置される。
【００３５】
カーソルツマミ３０は、中央部に中央貫通孔３１を有する円筒状胴部３２と、円筒状胴部３２の前面に一の方向に傾斜して形成される傾斜押圧面３３と、円筒状胴部３２の背面側から延設されるフランジ部３４と、フランジ部３４の背面側に延設されてタクトスイッチ２１〜２４の作動子に当接する４つのスイッチ突起部４１〜４４と、を有し、これらが樹脂で一体に成形されている。スイッチ突起部４１〜４４は長いリブ状の突起であり、複合スイッチ装置１００として組み立てられた場合には、パネル部材１０の基体１１の貫通孔を貫通してパネル部材１０の背面側に位置するタクトスイッチ２１〜２４の作動子に当接する。
【００３６】
ここで、傾斜押圧面３３は、その上下方向に傾斜面を形成しており、傾斜押圧面３３の最前端が下方向に、傾斜押圧面３３の最後端が上方向に配置されている。つまり、傾斜押圧面３３には、Ｚ軸が通過する点Ｏを基準にしてそれぞれ右、上、左、下の方向に、押圧位置３３Ｒ、３３Ｕ、３３Ｌ、および、３３Ｄが規定され、傾斜押圧面３３の最前端に対応する最前端押圧位置は、押圧位置３３Ｄである。複合スイッチ装置１００のカーソルツマミ３０の押圧位置３３Ｒ、３３Ｕ、３３Ｌ、および、３３Ｄのいずれかをユーザーが押圧すると、カーソルツマミ３０は傾斜しながら背面側へ移動し、それぞれ対応するスイッチ突起部４１〜４４が、タクトスイッチ２１〜２４の作動子を選択的に押圧する。このように、カーソルツマミ３０は、意匠性を考慮して押圧面３３を上下方向で傾斜させる多方向スイッチ装置を形成することができる。また、カーソルツマミ３０は、中央貫通孔３１が形成された円筒状胴部３２を有するので、中央貫通孔３１からキートップ６０が突出するように配置できるので、意匠性を考慮した複合スイッチ装置１００を形成することができる。
【００３７】
カーソルツマミ３０のフランジ部３４は、略六角形状に円筒状胴部３２から周囲（Ｘ−Ｙ平面）方向に張り出しており、左斜上方向および右斜下方向の２方向（Ｗ−Ｗ’方向）に形成される規制溝３５および３６が、パネル部材１０の基体１１から延設される位置規制爪１３および１４とそれぞれ係合する。また、フランジ部３４は、後述するように、傾斜押圧面３３の特定位置を押圧された場合に、背面側でパネル部材１０の選択規制突起１５および１６に当接する。なお、図４（ａ）では、位置規制爪１３および１４と、選択規制突起１５および１６とが、カーソルツマミ３０のフランジ部３４と相対する位置を、それぞれ点線で記載している。また、フランジ部３４から前面側に突出する突起３７は、（図示しない）前面パネル２に当接して、カーソルツマミ３０が前面側へ移動してその関連部分が破壊するのを防止する。
【００３８】
図５および図６は、カーソルツマミ３０がユーザーにより押圧されない場合において、複合スイッチ装置１００の動作を説明する部分断面図であり、図５は図４に示す直線Ｙ−Ｙ’における断面図であり、図６は図４に示す直線Ｗ−Ｗ’における断面図である。つまり、図５および図６は、静止時の複合スイッチ装置１００の構成を説明する断面図であり、図５は真横からの断面を、図６はカーソルツマミ３０を所定の位置に規制する位置規制爪１３および１４を横断する断面を、それぞれあらわしている。なお、図５および図６では、ここでの説明に不用な部分、例えば、他のキートップ５０、可動スイッチ５１、等は、省略している。
【００３９】
カーソルツマミ３０がユーザーにより押圧されない場合には、複合スイッチ装置１００のカーソルツマミ３０は、フランジ部３４の規制溝３５および３６が位置規制爪１３および１４に当接することで、左右方向（Ｘ軸）、上下方向（Ｙ軸）、前後方向（Ｚ軸）に位置規制される。複合スイッチ装置１００では、フランジ部３４の規制溝３５および３６と、位置規制爪１３および１４との間には、左右方向（Ｘ軸）および上下方向（Ｙ軸）に所定の隙間（あそび）が形成されるものの、前後方向（Ｚ軸）では、スイッチ突起部４１〜４４の長さが厳密に設定されて、カーソルツマミ３０のスイッチ突起部４１〜４４がそれぞれタクトスイッチ２１〜２４の作動子２１ａ〜２４ａに当接する。
【００４０】
したがって、図６に示すように、静止時の複合スイッチ装置１００では、カーソルツマミ３０のフランジ部３４の規制溝３５および３６は、タクトスイッチ２１〜２４の作動子２１ａ〜２４ａが有する弾性力によって前方側への移動を規制する位置規制爪１３および１４に圧着させられる。その結果、図５及び図６に示すように、カーソルツマミ３０は、傾かない状態でパネル部材１０の基体１１の位置規制爪１３および１４に圧着されるので、カーソルツマミ３０のスイッチ突起部４１〜４４は、タクトスイッチ２１〜２４のいずれの作動子２１ａ〜２４ａを強く押圧せず、いずれのタクトスイッチの接点もオンにならない。
【００４１】
また、図５および図６は、複合スイッチ装置１００を構成するキートップ６０および可動ボタン６１にも、ユーザーの押圧する力が加わっていない場合を示している。ヒンジ６２を介してパネル部材１０の基体１１から延設される可動ボタン６１は、その背面側にスイッチ突起部６３を備え、スイッチ突起部６３は、タクトスイッチ２６の作動子２６ａに当接しているが、キートップ６０にユーザーの押圧力が加わらない限り、作動子２６ａが有する弾性力が可動ボタン６１に作用して、タクトスイッチ２６の接点はオンにならない。ここで、キートップ６０は、カーソルツマミ３０が有する中央貫通孔３１を貫通して突出するように配置されているものの、キートップ６０および可動ボタン６１は、カーソルツマミ３０に対して常に離隔している。
【００４２】
図７および図８は、カーソルツマミ３０がユーザーにより押圧されて、例えば、傾斜押圧面３３の下方向に位置する押圧位置３３Ｄに押圧力Ｆが加えられた場合において、複合スイッチ装置１００の動作を説明する部分断面図である。図７は図４に示す直線Ｙ−Ｙ’における断面図であり、図８は図４に示す直線Ｗ−Ｗ’における断面図である。つまり、図７および図８は、傾斜押圧面３３のある押圧位置が押圧された時の複合スイッチ装置１００の構成を説明する断面図であり、図７は図５と同様に真横からの断面を、図８は図６と同様にカーソルツマミ３０を所定の位置に規制する位置規制爪１３および１４を横断する断面を、それぞれあらわしている。なお、図７および図８でも、ここでの説明に不用な部分、例えば、他のキートップ５０、可動スイッチ５１、等は、省略している。
【００４３】
傾斜押圧面３３の下方向に位置する押圧位置３３Ｄに押圧力Ｆが加えられると、図８に示すように、押圧位置３３Ｄに対応するタクトスイッチ２４に近接する位置規制爪１４、つまり、中心点Ｏから見て右斜下方向に位置する位置規制爪１４は、カーソルツマミ３０のフランジ部３４の規制溝３６と当接して、カーソルツマミ３０が押圧によりＺ方向に移動するように規制する。一方で、傾斜押圧面３３の下方向に位置する押圧位置３３Ｄに押圧力Ｆが加えられると、図８に示すように、押圧位置３３Ｄに対応するタクトスイッチ２４に近接しない他方の位置規制爪１３、つまり、中心点Ｏから見て左斜上方向に位置する位置規制爪１３は、カーソルツマミ３０のフランジ部３４の規制溝３５と当接して、カーソルツマミ３０を下方向に傾斜させる支点を形成する。また、下方向に位置する押圧位置３３Ｄに押圧力Ｆが加えられると、図７に示すように、押圧位置３３Ｄに対応するタクトスイッチ２４に対して周方向に隣り合う２つのタクトスイッチ２１および２３、つまり、カーソルツマミ３０の中心に近いＸ−Ｘ’平面に位置するタクトスイッチ２１および２３は、これらのそれぞれの作動子２１ａおよび２３ａに当接するスイッチ突起部４１および４３とともに、カーソルツマミ３０を下方向に傾斜させる支点を形成する。
【００４４】
その結果、下向きの押圧位置３３Ｄに加えられる押圧力Ｆにより、カーソルツマミ３０は下方向に傾斜しながら背面側に移動して、押圧位置３３Ｄに対応するタクトスイッチ２４の作動子２４ａをスイッチ突起部４４が押圧して、タクトスイッチ２４の接点をオンにする。したがって、ユーザーは、傾斜押圧面３３の押圧位置３３Ｄを押圧して、対応するタクトスイッチ２４をオンにして、複合スイッチ装置１００を含む映像音響機器１に所望の動作をさせることができる。
【００４５】
また、図示しないが、例えば、傾斜押圧面３３の左方向に位置する押圧位置３３Ｌに押圧力が加えられると、押圧位置３３Ｌに対応するタクトスイッチ２３に近接する位置規制爪１３、つまり、中心点Ｏから見て左斜上方向に位置する位置規制爪１３は、カーソルツマミ３０のフランジ部３４の規制溝３５と当接して、カーソルツマミ３０が押圧によりＺ方向に移動するように規制する。一方で、傾斜押圧面３３の左方向に位置する押圧位置３３Ｌに押圧力が加えられると、押圧位置３３Ｌに対応するタクトスイッチ２３に近接しない他方の位置規制爪１４、つまり、中心点Ｏから見て右斜下方向に位置する位置規制爪１４は、カーソルツマミ３０のフランジ部３４の規制溝３６と当接して、カーソルツマミ３０を左方向に傾斜させる支点を形成する。また、左方向に位置する押圧位置３３Ｌに押圧力Ｆが加えられると、押圧位置３３Ｌに対応するタクトスイッチ２３に対して周方向に隣り合う２つのタクトスイッチ２２および２４、つまり、カーソルツマミ３０の中心に近いＹ−Ｙ’平面に位置するタクトスイッチ２２および２４は、これらのそれぞれの作動子２２ａおよび２４ａに当接するスイッチ突起部４２および４４とともに、カーソルツマミ３０を左方向に傾斜させる支点を形成する。
【００４６】
その結果、左向きの押圧位置３３Ｌに加えられる押圧力Ｆにより、カーソルツマミ３０は左方向に傾斜しながら背面側に移動して、押圧位置３３Ｌに対応するタクトスイッチ２３の作動子２３ａをスイッチ突起部４３が押圧して、タクトスイッチ２３の接点をオンにする。したがって、ユーザーは、傾斜押圧面３３の押圧位置３３Ｌを押圧して、対応するタクトスイッチ２３をオンにして、複合スイッチ装置１００を含む映像音響機器１に所望の動作をさせることができる。
【００４７】
なお、傾斜押圧面３３の上方向に位置する押圧位置３３Ｕに押圧力が加えられる場合についても、傾斜押圧面３３の右方向に位置する押圧位置３３Ｒに押圧力が加えられる場合についても、同様であるので説明を省略する。このように、複合スイッチ装置１００では、これらの位置規制爪１３および１４がカーソルツマミ３０を可動的に位置規制するので、カーソルツマミ３０の支持固定に所定の面積を必要とするヒンジを採用しなくてもよく、多方向スイッチ装置を小型化することができる。また、カーソルツマミ３０の支持固定にヒンジを使用しないので、他のキートップ５０を有する可動ボタン５１を隣接して設けることができ、複合スイッチ装置１００としても、小型化できる。
【００４８】
この複合スイッチ装置１００では、カーソルツマミ３０がその前面に傾斜押圧面３３を有するので、ユーザーが前記の所定の押圧位置３３Ｒ、３３Ｕ、３３Ｌ、および、３３Ｄ以外の傾斜押圧面３３を押圧した場合は、たとえＺ軸に平行な押圧力を加えた場合であっても、カーソルツマミ３０が意図しない方向に傾斜して押し込まれやすい。特に、傾斜押圧面３３の最前端に対応する最前端押圧位置である下方向の押圧位置３３Ｄと、これに周方向に隣り合う隣接押圧位置である押圧位置３３Ｒおよび３３Ｌとの中間位置を、例えば、図４（ａ）における位置３３Ｖをユーザーが押圧するような場合には、ユーザーは下向きの押圧位置３３Ｄに対応するタクトスイッチ２４をオンにしたいと意図している場合にもかかわらず、左向きの押圧位置３３Ｌに対応するタクトスイッチ２３をも同時にオンにするように、カーソルツマミ３０は左方向にも傾斜して押し込まれることになる。
【００４９】
ただし、この複合スイッチ装置１００では、傾斜押圧面３３の最前端押圧位置３３Ｄに隣接する中間位置、例えば、押圧位置３３Ｄおよび３３Ｌの中間位置である位置３３Ｖを押圧した場合は、カーソルツマミ３０が背面側に押し込まれて移動し、樹脂製のパネル部材１０の基体１１に形成された選択規制突起１５が、カーソルツマミ３０のフランジ部３４と当接してカーソルツマミ３０を傾斜させる支点を形成する。カーソルツマミ３０は、選択規制突起１５を支点として、傾斜押圧面３３が押圧される位置に応じて、下方向または左方向のいずれか一方に傾斜する。したがって、カーソルツマミ３０のスイッチ突起部（４３または４４）が、下方向の最前端押圧位置３３Ｄに対応するタクトスイッチ２４と、左方向の隣接押圧位置に対応するタクトスイッチ２３との、いずれか一方を選択的に押圧し、これらのタクトスイッチを同時押しすることがない。したがって、この複合スイッチ装置１００では、ユーザーは、良好な操作感が得られる。
【００５０】
なお、傾斜押圧面３３の最前端押圧位置３３Ｄおよび３３Ｒの中間位置を押圧した場合についても、同様に、樹脂製のパネル部材１０の基体１１に形成された選択規制突起１６が、カーソルツマミ３０のフランジ部３４と当接してカーソルツマミ３０を傾斜させる支点を形成する。したがって、カーソルツマミ３０のスイッチ突起部（４１または４４）が、下方向の最前端押圧位置３３Ｄに対応するタクトスイッチ２４と、右方向の隣接押圧位置に対応するタクトスイッチ２１との、いずれか一方を選択的に押圧し、これらのタクトスイッチを同時押しすることがない。
【００５１】
また、傾斜押圧面３３の最後端に対応する最後端押圧位置である上方向の押圧位置３３Ｕと、これに周方向に隣り合う隣接押圧位置である押圧位置３３Ｒおよび３３Ｌとの中間位置をユーザーが押圧するような場合に対応して、カーソルツマミ３０のフランジ部３４と当接してカーソルツマミ３０を傾斜させる支点を形成し、上方向の最前端押圧位置３３Ｕに対応するタクトスイッチ２２と、周方向の隣接押圧位置に対応するタクトスイッチ２１および２３とのいずれかを選択的に押圧させる選択規制突起を、さらに設けてもよい。ただし、傾斜押圧面３３の最後端の押圧位置３３Ｕに隣接する範囲では、傾斜押圧面３３の方向および押圧力が加わる方向の関係により、カーソルツマミ３０が左方向若しくは右方向に著しく傾いて背面側に押し込まれて移動しないので、隣接押圧位置に対応するタクトスイッチ２１および２３が同時押しされることも少ない。したがって、本実施例のように、傾斜押圧面３３の最後端に対応する押圧位置３３Ｕに対応して、さらなる選択規制突起を設けなくてもよい。
【００５２】
また、図７および図８は、図５および図６と同様に、複合スイッチ装置１００を構成するキートップ６０および可動ボタン６１に、ユーザーの押圧する力が加わっていない場合を示している。図示しないが、キートップ６０および可動ボタン６１にユーザーの押圧する力が加わる場合には、ヒンジ６２が弾性的に変形して、可動ボタン６１が後方へ傾斜して移動し、可動ボタン６１の背面側に延設されるスイッチ突起部６３がタクトスイッチ２６の作動子２６ａを押圧し、タクトスイッチ２６の接点をオンにする。キートップ６０は、カーソルツマミ３０が有する中央貫通孔３１を貫通して突出するように配置されているものの、キートップ６０および可動ボタン６１は、カーソルツマミ３０に対して常に離隔しているので、カーソルツマミ３０を操作してもＥＮＴＥＲキーを形成するキートップ６０を有する押圧スイッチ装置に影響しない。したがって、傾斜押圧面３３が形成されたカーソルツマミ３０を備えていても、意図しない押圧位置に対応するタクトスイッチが押されることがないので、映像音響機器の意図しない動作を防ぐことができ、ユーザーは、映像音響機器を操作しやすくなる。
【００５３】
なお、本発明は上記実施例に限定されない。上記の複合スイッチ装置１００では、傾斜押圧面３３には、Ｚ軸が通過する点Ｏを基準にしてそれぞれ右、上、左、下に、押圧位置３３Ｒ、３３Ｕ、３３Ｌ、および、３３Ｄを規定し、これらに対応する位置にタクトスイッチ４１、４２、４３および４４を配置していたが、傾斜押圧面３３の最前端に対応する最前端押圧位置と、傾斜押圧面３３の最後端に対応する最前後押圧位置と、に対応するタクトスイッチを配置していれば、例えば、図４（ａ）に示されるカーソルツマミ３０の押圧位置を、点Ｏを中心にして４５度回転させて、右斜上方向と、左斜上方向と、左斜下方向と、右斜下方向と、に配置し、これらに対応する位置および方向にタクトスイッチ４１、４２、４３および４４を配置してもよい。
【００５４】
また、カーソルツマミ３０の傾斜押圧面３３に規定する押圧位置は、Ｚ軸が通過する点Ｏを基準にしてそれぞれ右、上、左、下に、押圧位置３３Ｒ、３３Ｕ、３３Ｌ、および、３３Ｄの９０度間隔で４方向に設けられているが、これらの中間にさらに押圧位置を規定し、例えば、４５度間隔で８方向に押圧位置を設けてもよい。その場合は、これらの押圧位置に対応するタクトスイッチをそれぞれ設け、パネル部材１０の基体１１に形成される位置規制爪が、これらのタクトスイッチうちで周方向に隣り合うタクトスイッチの中間であり、かつ、カーソルツマミ３０の中心点Ｏに対して１８０度間隔で２方向に設けられていればよい。
【００５５】
また、複合スイッチ装置１００は、増幅器付ディスク再生装置、または、ＡＶレシーバー等の映像音響機器の機能を選択・決定するスイッチに限られない。スイッチ素子は、タクトスイッチ以外であっても、オン／オフのポジションを有するスイッチ素子を含んで構成されるスイッチ素子であってもよい。
【産業上の利用可能性】
【００５６】
本発明の多方向スイッチ装置または複合スイッチ装置は、映像音響機器のみならず、使用者が押圧操作する操作デバイスを備える電気電子装置にも適用が可能である。
【図面の簡単な説明】
【００５７】
【図１】本発明の好ましい実施形態による映像音響機器１について説明する斜視図である。（実施例１）
【図２】本発明の好ましい実施形態による複合スイッチ装置１００について説明する部分拡大図である。（実施例１）
【図３】本発明の好ましい実施形態による複合スイッチ装置１００について説明する図である。（実施例１）
【図４】本発明の好ましい実施形態によるカーソルツマミ３０を説明する図である。（実施例１）
【図５】本発明の好ましい実施形態による複合スイッチ装置１００の動作を説明する直線Ｙ−Ｙ’における断面図である。（実施例１）
【図６】本発明の好ましい実施形態による複合スイッチ装置１００の動作を説明する直線Ｗ−Ｗ’における断面図である。（実施例１）
【図７】本発明の好ましい実施形態による複合スイッチ装置１００の動作を説明する直線Ｙ−Ｙ’における断面図である。（実施例１）
【図８】本発明の好ましい実施形態による複合スイッチ装置１００の動作を説明する直線Ｗ−Ｗ’における断面図である。（実施例１）
【符号の説明】
【００５８】
１            映像音響機器
１００        複合スイッチ装置
２            前面パネル
１０          パネル部材
１１          基体
１２          基板固定部
１３、１４    位置規制爪
１５、１６    選択規制突起
２０          基板
２１〜２６    タクトスイッチ
３０          カーソルツマミ
３１          中央貫通孔
３２          円筒状胴部
３３          傾斜押圧面
３４          フランジ部
３５、３６    規制溝
４１〜４４    スイッチ突起部
５０、６０    キートップ
５１、６１    可動ボタン
５２、６２    ヒンジ
５３、６３    スイッチ突起部
【図４】
2008198397.tif 000003
【図５】
2008198397.tif 000004
【図６】
2008198397.tif 000005
【図７】
2008198397.tif 000006
【図８】
2008198397.tif 000007
【図１】
2008198397.tif 000008
【図２】
2008198397.tif 000009
【図３】
2008198397.tif 000010